(57)【要約】      （修正有）【課題】匂いで誘われた大型昆虫（カブトムシ・クワガタムシ等）を捕獲するための容器を提供する。【解決手段】上部が開口した箱状の容器１の外周に布５を巻き，容器１の底には多数の穴を設け，容器１内側の背面部には滑り落ちる板２が設けられ，その上部中央に穴を設けてＳ字フック３を取り付け匂い飛散袋４を引っかけ，滑り落ちる板２の４隅には，樹木に設置するヒモ穴６を１箇所ずつ設ける構造を特徴とする大型昆虫捕獲器である。【選択図】図１
2020065523.tif 000002
【特許請求の範囲】
【請求項１】
上部が開口した箱状の容器の外周に布を巻き，容器の底には多数の穴を設け，容器内側の背面部には滑り落ちる板が設けられ，滑り落ちる板の上部中央に穴を設けてＳ字フックを取り付けて匂い飛散袋を引っかけ，滑り落ちる板の４隅には，樹木に設置するヒモ穴を１箇所ずつ設ける構造となった大型昆虫捕獲器。
【発明の詳細な説明】
【技術分野】
【０００１】  本発明は，匂いで誘われた大型昆虫（カブトムシ・クワガタムシ等）を捕獲するための容器である。
【背景技術】
【０００２】  従来，ペットボトルの上から４分の１ほどを切り落とし，切り取った部分を逆さにして作成した捕獲器では，ペットボトルの底に人工樹液を入れて設置しても，樹液の匂いは容器内にこもって周囲に広がりにくく，材質のなめらかなペット樹脂により，昆虫の飛びつける足場がなかったため，捕獲の成果は上がらなかった。
【発明の概要】
【発明が解決しようとする課題】
【０００３】  （イ）大型昆虫は，生態的に夜行性のものがほとんどであり，昆虫採集を楽しむ時間帯        としては夜遅いか朝早いかの傾向にあった。
（ロ）昆虫採取をする子どもたちは，早朝の暗い時間帯に起きるのは苦手であった。
（ハ）昆虫採集をしようとして当て所なく森を探すと，ヘビやムシに襲われる心配があ        った。
（ニ）真っ暗な森で昆虫の集まる樹木を探すのは容易ではなかった。
（ホ）ペットボトルを加工した採取器で実際に採取を試みたものの採取できたことがな        く，機能性に疑問があった。
本発明は，これらの問題点を解決するためのものである。
【課題を解決するための手段】
【０００４】  上部が開口した箱状の容器の外周に布を巻き，容器の底には，多数の穴を設ける。容器の背面部には滑り落ちる板が設けられ，その板の上部中央に穴を設けてＳ字フックを取り付ける。Ｓ字フックには，匂い飛散袋を引っかける。滑り落ちる板の４隅には，樹木に設置するヒモ穴を１箇所ずつ設ける。
以上を特徴とする昆虫採取器である。
【発明の効果】
【０００５】  人工樹液を入れた口の広く開いた容器，匂い飛散袋，容器の底からしみ出た人工樹液の染み込んだ外側の布から匂いを発散させ，大型昆虫を誘い込む。容器を覆う布や周りの樹木に止まって近づいた大型昆虫は，なめらかな容器内側や滑り落ちる板で滑り落ち，容器の底で這いあがれない状態となる。また，羽が壁に当たって羽ばたけず，捕獲器から脱出することができない構造となっている。
採取者は，自由な時間帯に森へ行き，捕獲器を設置した特定の場所を速やかに点検でき，ゆとりをもって昆虫を採取することができる。
【図面の簡単な説明】
【０００６】
【図１】  本発明の斜視図である。
【図２】  本発明の使用状態図である。
【図３】  本発明を取り付けた状態図（参考図）である。
【発明を実施するための形態】
【０００７】  以下，本発明の実施の形態について説明する。
（イ）容器（１）は箱状になっており，上部は開口している。また，外周には布（５）        を巻く。
（ロ）容器（１）内側の背面部には滑り落ちる板（２）が設けられ，その上部中央に穴        （７）を設け，Ｓ字フック（３）を取り付ける。
（ハ）Ｓ字フック（３）には，匂い飛散袋（４）を引っかける。
（ニ）滑り落ちる板（２）の４隅には，樹木に設置するヒモ穴（６）を１箇所ずつ設け        る。
（ホ）容器（１）の底（８）に穴（７）を多数設ける。
本発明は，以上のような構成である。
【０００８】  本発明を使用するときは，樹木に設置するヒモ穴（６）にヒモを通し，樹木の根元から１．５メートル程度の高さに巻き付けて固定する。事前に人工樹液を容器（１）の内部と匂い飛散袋（４）に入れておく。匂いは，容器（１）の内部や匂い飛散袋（４）からはもちろんのこと，容器の底（８）の穴（７）から染み出た人工樹液が布（５）に染み込むため，容器（１）の外面の布（５）からも匂いを発散する。
その匂いに誘われた昆虫が，容器（１）の外側の布（５）に止まったり，樹木にしがみつきながら，次第に本発明の周囲に集まってくる。
昆虫は，何とか人工樹液に近づこうと布（５）や樹木にしがみつきながら，容器（１）の内側や匂い飛散袋（４）に足を伸ばそうとする。しかし，それでは，昆虫の足は人工樹液には届かない。最終的には，体全体を容器（１）の内側や匂い飛散袋（４）へ近づき過ぎた結果，昆虫は容器（１）の内側や滑り落ちる板（２）で足を滑らせ，その自重により容器の底（８）へ落ちる。落ちた昆虫は，容器（１）の内側の壁が滑るため，這い上がることはできない。また，容器が狭いため，昆虫が羽をばたつかせることは難しい。羽ばたいたとしても，壁にぶつかってすぐに落ちてしまうため，脱出することはできない。その結果，本発明設置者は，ゆとりをもって大型昆虫を捕獲することができる。
【符号の説明】
【０００９】１  プラスチック容器
２  滑り落ちる板
３  Ｓ字フック
４  匂い飛散袋
５  布
６  樹木に設置するヒモ穴
７  容器の底の穴
８  底
【図１】
2020065523.tif 000003
【図２】
2020065523.tif 000004
【図３】
2020065523.tif 000005
【手続補正書】
【提出日】令和1年5月24日(2019.5.24)
【手続補正１】
【補正対象書類名】特許請求の範囲
【補正対象項目名】全文
【補正方法】変更
【補正の内容】
【特許請求の範囲】
【請求項１】
上部が開口した箱状の容器の外周に布を巻き，容器の底には多数の穴を設け，容器の底に設けた人工樹液が底の穴より容器に巻き付けた布にしみ出るように設け，容器内側の背面部には滑り落ちる板を設け，滑り落ちる板の上部中央に穴を設けて，その穴にＳ字フックを取り付け，人工樹液を入れた匂い飛散袋をＳ字フックに引っかけ，滑り落ちる板の上半部の４隅には，樹木に設置するヒモ穴を１箇所ずつ設けた大型昆虫捕獲器。
【手続補正２】
【補正対象書類名】明細書
【補正対象項目名】全文
【補正方法】変更
【補正の内容】
【発明の詳細な説明】
【技術分野】
【０００１】  発明は，匂いで誘われた大型昆虫（カブトムシ・クワガタムシ等）を捕獲するための容器である。
【背景技術】
【０００２】  従来，ペットボトルの上から４分の１ほどを切り落とし，切り取った部分を逆さにして作成した捕獲器では，ペットボトルの底に人工樹液を入れて設置しても，樹液の匂いは容器内にこもって周囲に広がりにくく，材質のなめかなペット樹脂により，昆虫の飛びつける足場がなかったため，捕獲の成果は上がらなかった。
【発明の概要】
【発明が解決しようとする課題】
【０００３】（イ）大型昆虫は，生態的に夜行性のものがほとんどであり，昆虫採集を楽しむ時間帯としては夜遅いか朝早いかの傾向にあった。
（ロ）昆虫採取をする子どもたちは，早朝の暗い時間帯に起きるのは苦手であった。
（ハ）昆虫採集をしようとして当て所なく森を探すと，ヘビやムシに襲われる心配があった。
（ニ）真っ暗な森で昆虫の集まる樹木を探すのは容易ではなかった。
（ホ）ペットボトルを加工した採取器で実際に採取を試みたものの採取できたことがなく，性能に疑問があった。
本発明は，これらの問題点を解決するためのものである。
【課題を解決するための手段】
【０００４】  上部が開口した箱状の容器の外周に布を巻き，容器の底には多数の穴を設け，容器の底に設けた人工樹液が底の穴より容器に巻き付けた布にしみ出るように設け，容器内側の背面部には滑り落ちる板を設け，滑り落ちる板の上部中央に穴を設けて，その穴にＳ字フックを取り付け，人工樹液を入れた匂い飛散袋をＳ字フックに引っかけ，滑り落ちる板の上半部の４隅には，樹木に設置するヒモ穴を１箇所ずつ設ける。
以上を特徴とする昆虫捕獲器である。
【発明の効果】
【０００５】  人工樹液を入れた口の広く開いた容器，匂い飛散袋，容器の底からしみ出た人工樹液の染み込んだ外側の布から匂いを発散させ，大型昆虫を誘い込む。容器を覆う布や周りの樹木に止まって近づいた大型昆虫は，なめらかな容器内側や滑り落ちる板で滑り落ち，容器の底で這いあがれない状態となる。また羽が壁に当たって羽ばたけず，捕獲器から脱出することができない構造となっている。
採取者は，自由な時間帯に森へ行き，捕獲器を設置した特定の場所を速やかに点検でき，ゆとりをもって昆虫を採取することができる。
【図面の簡単な説明】
【０００６】
【図１】  本発明の斜視図である。
【図２】  本発明の使用状態図である。
【図３】  本発明を取り付けた状態図（参考図）である。
【発明を実施するための形態】
【０００７】以下，本発明の実施の形態について説明する。
（イ）容器（１）は箱状になっており，上部は開口している。また，容器（１）の外周には布（５）を巻く。
（ロ）容器（１）内側の背面部には滑り落ちる板（２）が設けられ，その上部中央に穴（７）を設け，Ｓ字フック（３）を取り付ける。
（ハ）Ｓ字フック（３）には，人口樹液が入った匂い飛散袋（４）を引っかける。
（ニ）滑り落ちる板（２）の上半部の４隅には，樹木に設置するヒモ穴（６）を１箇所ずつ設ける。
（ホ）容器（１）の底（８）に穴（７）を多数設ける。
本発明は以上のような構成である。
【０００８】  本発明を使用するときは，樹木に設置するヒモ穴（６）にヒモを通し，樹木の根元から１．５メートル程度の高さに巻き付けて固定する。事前に人工樹液を容器（１）の内部と匂い飛散袋（４）に入れておく。人口樹液の匂いは，容器（１）の内部や匂い飛散袋（４）からはもちろんのこと，容器の底（８）の穴（７）から染み出た人工樹液が布（５）に染み込むため，容器（１）の外面の布（５）からも匂いを発散する。
その匂いに誘われた昆虫が，容器（１）の外側の布（５）に止まったり，樹木にしがみつきながら，次第に本捕獲器の周囲に集まってくると，昆虫は何とか人工樹液に近づこうと容器（１）の外側に巻かれた布（５）や樹木にしがみつきながら，容器（１）の内側や匂い飛散袋（４）に足を伸ばそうとする。しかし，昆虫の足は人工樹液には届かない。
最終的には，昆虫の体全体を容器（１）の内側や匂い飛散袋（４）へ近づき，昆虫は容器（１）の内側や滑り落ちる板（２）で足を滑らせ，昆虫の自重により容器の底（８）へ落ちる。落ちた昆虫は，容器（１）の内側の壁が滑るため，這い上がることはできない。また，容器が狭いため，昆虫が羽をばたつかせることは難しい。羽ばたいたとしても，壁にぶつかってすぐに落ちてしまうため，脱出することはできない。その結果，本捕獲器設置者は，ゆとりをもって大型昆虫を捕獲することができる。